(57)【特許請求の範囲】
【請求項１】
カートリッジ内に収納されるディスク状記録媒体が装着されたクランパを、ターンテーブルを備えるシャーシに対して、ターンテーブルの回転軸線方向に弾性部材の弾性力で移動させることにより、ディスクのクランプを行うディスククランプ機構において、
ディスクとカートリッジとの対向する面が平行になるように、クランパの変位方向を規制する方向規制手段と、
ディスク両側でクランパとシャーシとの間にそれぞれ傾斜して掛け渡された弾性部材とを含み、
前記弾性部材は、前記ディスク両側の一方側では他方側でのバイアス方向と交差する方向にバイアスされていることを特徴とするディスククランプ機構。
【発明の詳細な説明】
【０００１】
【発明の属する技術分野】
本発明は、ミニディスクなどから記録されている情報を再生したり、ミニディスクなどに情報を記録したりする際に、ミニディスクなどをターンテーブルにクランプするディスククランプ機構に関する。
【０００２】
【従来の技術】
従来から、ＭＤと略称されるミニディスクが、小型で大容量の記録媒体として、自動車に搭載する車載オーディオ装置などに広く利用されている。ミニディスクでは、ディスク状の記録媒体が平板状のカートリッジ内に収納されており、記録媒体が露出していないので、取扱が容易で信頼性が高い。ミニディスクから情報を再生したり、情報を記録する際には、記録媒体をターンテーブルに装着し、高速で回転させる必要がある。再生や記録の際には、カートリッジを機械的に保持するクランプ機構が設けられる。本件出願人は、たとえば特開平１０−２７５３９４号公報や特開平１１−６６６８３号公報で、ミニディスク装置のクランプ機構について開示している。
【０００３】
図８および図９は、特開平１１−６６６８３号公報で図２７および図２８として、従来技術の説明に用いている従来のミニディスク装置１を簡略化して平面視および右側面視した状態をそれぞれ示す。ミニディスクは、クランパ２とドライブシャーシ３との間にクランプされる。ドライブシャーシ３の一側方には、幅方向の外方に突出する駆動軸４が設けられ、クランパ２でクランプを行うための駆動力が発生される。発生した駆動力は、連動部材５を介して、多側方にも伝達される。この駆動力は、カム８によって発生される。カム８によって発生される駆動力とともに、クランパ２には、ねじりコイルばね９による付勢力が引加される。この付勢力は、クランパ２の中心が中立位置１２を保つように、ずれを戻す方向に、クランプ側１３または解放側１４として作用する。方向規制部１５では、クランプ２のドライブシャーシ３に対する変位を、ターンテーブルの回転軸線方向に規制している。
【０００４】
図１０および図１１は、クランパ２とドライブシャーシ３との組み合わせについて、右側面視および底面視した状態をそれぞれ示す。ねじりコイルばね９をドライブシャーシ３に係止させる位置は、底面から最も離れた位置になる。このため、クランプ機構では高さ方向でのスペースが必要となる。
【０００５】
なお、特開平７−１６１１０７号公報には、クランパをミニディスクの挿入方向側に設けるクランパホルダの遊端側に設け、基端をシャーシに接合し、基端側を支点にして揺動変位させてクランプ動作を行う光ディスクプレーヤの構成が開示されている。クランパホルダとシャーシとの間には、ローディングローラを指示するローラホルダを、先端側を支点にして揺動変位可能なように挿入し、クランパホルダとローラホルダとの間をコイルばねで引張る。これによって、クランパホルダがミニディスクのカートリッジをローディングローラに押圧することができる。また、特開平１１−２３４９６２号公報には、複数の方向に引張りコイルばねを張り、球面アクチュエータのロータが回転しても、ロータ内の通孔に挿入されるカメラは回転しないで一定の角度を保つようにする技術が開示されている。
【０００６】
【発明が解決しようとする課題】
図１０および図１１に示すように、クランパ２でミニディスクをクランプする付勢用としてねじりコイルばね９を用いると、ねじりコイルばね９の係止点の関係で、ドライブシャーシ３に高さＨ１が必要となり、小さなスペースにクランプ機構を納めることが困難になる。特開平７−１６１１０７号公報でクランパホルダとローラホルダとの間に張られているコイルばねと同様に、クランパ２とドライブシャーシ３との間をコイルばねで引張るようにすれば、コイルばねを係止する位置をドライブシャーシ３の底面側に近づけることができ、クランプ機構の小型化を図ることが期待される。
【０００７】
しかしながら、コイルばねで方向規制部１５で規制される変位方向に合わせてクランパ２を引張ると、方向規制部１５での変位方向規制の際に、いわゆるビビリ現象が生じてしまうことが判明している。ビビリ現象は、方向規制部１５での変位方向の規制の際に、コイルばねによる引張りの方向が変位を許容する方向からわずかにずれて、少しずつ引っ掛かりながら案内を受けるために発生する。
【０００８】
本発明の目的は、小型化が可能で、しかもクランパの変位を円滑に行うことができるディスククランプ機構を提供することである。
【０００９】
【課題を解決するための手段】
本発明は、カートリッジ内に収納されるディスク状記録媒体が装着されたクランパを、ターンテーブルを備えるシャーシに対して、ターンテーブルの回転軸線方向に弾性部材の弾性力で移動させることにより、ディスクのクランプを行うディスククランプ機構において、
ディスクとカートリッジとの対向する面が平行になるように、クランパの変位方向を規制する方向規制手段と、
ディスク両側でクランパとシャーシとの間にそれぞれ傾斜して掛け渡された弾性部材とを含み、
前記弾性部材は、前記ディスク両側の一方側では他方側でのバイアス方向と交差する方向にバイアスされていることを特徴とするディスククランプ機構である。
【００１０】
本発明に従えば、カートリッジ内に収納されるディスク状記録媒体は、ターンテーブルによって回転駆動され、記録されている情報の再生や情報の記録が行われる。ディスククランプ機構は、カートリッジをクランパで、ターンテーブルを備えるシャーシに対して挟み込む。クランパは、ディスクとカートリッジとの対向する面が平行でターンテーブルの回転軸線方向に変位するように、方向規制手段によって変位方向が規制される。クランパは、ディスク両側で傾斜して掛け渡された弾性部材の弾性力で引張られ、ディスクをクランプするように移動する。弾性部材は、傾斜して掛け渡されているので、クランパは方向規制手段によって常に変位方向が規制される状態となる。ディスク両側で、方向規制手段によって案内される方向に引張ろうとしても、完全に一致させることはできず、規制される幅内で変位方向がずれることが繰返されてしまう。このため、変位が円滑に行われず、ビビリと呼ばれる現象が発生しやすくなり、再生中に音飛びと呼ばれる現象も生じやすくなる。弾性部材の弾性力の方向にバイアスを加えることによって、方向規制手段による変位の案内がバイアス方向に偏って行われ、案内条件が安定するので、変位も安定に行われる。また本発明では、ディスク両側の一方側と他方側とで、弾性部材の弾性力をバイアスする方向が交差する。これによって、ディスクの挿入方向に対しては前後方向のバイアスを与えることができ、ビビリなどの発生を抑え、音飛びなどの発生を防ぐことができる。
【００１３】
【発明の実施の形態】
図１および図２は、本発明の実施の一形態であるディスククランプ機構２０を、右側面視および底面視した状態をそれぞれ示す。図１および図２の正面側である左から背面側である右の方向へミニディスクが挿入されてターンテーブルに対してクランプされ、クランプが解除されると右から左の方向にミニディスクは排出される。ミニディスクの挿入および排出の際には、クランパ２２とドライブシャーシ２３との間の間隔が広げられ、クランプの際には、間隔が狭められて、クランパ２２がミニディスクのカートリッジをドライブシャーシ２３に対して挟み込んでクランプする。
【００１４】
クランプの際にクランパ２２がカートリッジに接触する平面部分は、ターンテーブルの回転軸線に対して垂直であり、ドライブシャーシ２３の底面に平行な状態を保って、クランパ２２とドライブシャーシ２３との間隔が変化するように、クランパ２２はドライブシャーシ２３に対して相対的に変位する。変位のための駆動には、特開平１０−２７５３９４号公報や特開平１１−６６６８３号公報で開示されている機構を用いることができる。
【００１５】
クランパ２２の幅方向の両側の部分は、垂直に折曲げられ、先端はドライブシャーシ２３側に向う。クランパ２２の変位方向を規制するために、折曲げられた側面から幅方向の外方に、間隔を開けて複数の横軸２４が突出する。ドライブシャーシ２３側でも、幅方向の両側は、底面部分に対して垂直に折曲げられ、クランパ２２側に向う方向規制部２５が、各横軸２４の位置に対応して設けられる。方向規制部２５には、横軸２４が嵌合して案内される溝が形成されている。
【００１６】
ドライブシャーシ２３の幅方向の両側には、間隔をあけて、複数の指示軸２６が突出し、またミニディスクの挿入方向および排出方向の両端には、複数のショックアブゾーバ２７が配置される。指示軸２６およびショックアブゾーバ２７は、ミニディスク装置のベースシャーシによってドライブシャーシ２３が支持を受けるために用いられる。
【００１７】
本実施形態のクランパ２２とドライブシャーシ２３との間は、ドライブシャーシ２３の底面付近の係止部２８に一端が係止されるコイルばね２９で引張られる。コイルばね２９の他端は、クランパ２２に設ける係止部３０に係止される。本実施形態では、図１０および図１１に示すようなねじりコイルばね９でねじりトルクに関するばね付勢を行うのではなく、単純にコイルばね２９で引張るだけなので、ばねに要するコストを低減することができる。また、ドライブシャーシ２３側の係止部２８を底面付近に設けるので、ドライブシャーシ２３に要する高さＨ２を、図１０および図１１に示すドライブシャーシ３の高さＨ１より低くすることができる。すなわち、Ｈ２＜Ｈ１となるので、ディスククランプ機構２０に必要なスペースを小さくして、ミニディスク装置の小型化を可能にすることができる。
【００１８】
図３は、本実施形態でのコイルばね２９の配設方向を簡略化し、右側面視して示す。図３（ａ）は、図１に示す右側面側のクランパ２２について示す。この右側面は、図２では上方に表示される。図３（ｂ）は、図２の下方に表示される左側面側でのコイルばね２９の配設方向を示す。コイルばね２９は、クランパ２２がドライブシャーシ２３に対して相対的に変位する方向に対して、ミニディスクの挿入方向の前後方向に傾いてバイアスされるように引張り力をクランパに与えている。
【００１９】
すなわち、コイルばね２９は、幅方向の一方側ではミニディスクの挿入方向または排出方向のいずれか一方にバイアスされ、幅方向の他方側ではミニディスクの挿入方向または排出方向の他方にバイアスされることになる。幅方向の一方側と他方側とで、コイルばね２９がバイアスする方向をミニディスクの挿入方向と排出方向とに異ならせるので、ビビリを抑え、音飛びを防ぐことができる。
【００２０】
図４は、コイルばね２９の配設状態を簡略化し、平面視して示す。平面視状態であるので、図３（ａ）側の側面は下側となり、図３（ｂ）側の側面は上側となる。本実施形態では、図４（ａ）に示すように、ドライブシャーシ２３に対して、コイルばね２９を幅方向の両側で幅方向の外側にバイアスさせ、しかも逆方向に引張っている。このためドライブシャーシ２３には、偶力による回転２９ａが生じる。図４（ｂ）に示すように、両側のコイルばね２９で「ハ」の字状に引張ることもできる。
【００２１】
このように、コイルバネ２９のバイアスには、幅方向の成分が含まれるので、ミニディスクの挿入方向から見て、幅方向の両側で引張り力のバイアス方向をそろえたり、「ハ」の字状に引張り力を及したりして、ビビリの発生を抑え、音飛びを防ぐことができる。
【００２２】
図５は、本実施形態で用いるドライブシャーシ２３の形状を示す。ドライブシャーシ２３は、底面にミニディスク中のディスク状記録媒体を回転駆動するためのターンテーブル３１や、ディスク状記録媒体に対して情報の再生や記録を行うピックアップ３２が備えられる。ドライブシャーシ２３の底面はターンテーブル３１の回転軸線に対して垂直であり、この面内の一直線に沿って、ミニディスクが挿入され、また排出される。この面内でその直線と垂直な直線に沿って幅方向が規定され、幅方向の両側に方向規制部２５や支持軸２６が設けられる。
【００２３】
図６は、本実施形態で用いるクランパ２２の形状を示す。クランパ２２は、大略的に板状であり、ミニディスクのカートリッジに接触してクランプする。幅方向の両側には、横軸２４が突出し、ドライブシャーシ２３の方向規制部２５の溝に嵌合して、変位方向の規制を受ける。このような横軸２４と溝との嵌合による変位方向の案内では、横軸２４と溝との間にわずかな隙間があり、溝の形成されている方向にのみコイルばねで２９引張ると、わずかな誤差の積重ねで、円滑な変位が困難となってしまう。引張り力にバイアスを与えると、案内条件が安定し、円滑な変位が可能になる。
【００２４】
図７は、本実施形態で用いるベースシャーシ４０の形状を示す。ベースシャーシ４０には、クランパ２２をドライブシャーシ２３に対して相対的に変位駆動する駆動源となるモータ４１や、モータ４１からの駆動力を伝達する伝達機構４２などが設けられる。クランパ２２およびドライブシャーシ２３を含むミニディスク装置のデッキ部分は、ＭＤデッキ装着部４３に装着される。
【００２５】
以上の図１〜図７を参照して、本実施形態のディスククランプ機構２０では、ミニディスクのカートリッジ内に収納されるディスク状記録媒体がターンテーブル３１によって回転駆動され、記録されている情報の再生や情報の記録が行われる。ミニディスクは、ターンテーブル３１の回転軸線に対して垂直な方向に挿入および排出される。ターンテーブル３１でディスク状記録媒体を安定に回転駆動するために、ディスククランプ機構２０は、カートリッジを板状のクランパ２２で、ターンテーブル３１を備えるドライブシャーシ２３に対して挟み込む。クランパ２２は、カートリッジへの接触面がターンテーブル３１の回転軸線に対して垂直な姿勢で、回転軸線方向に変位するように、クランパ２２の横軸２４とドライブシャーシ２３の方向規制部２５とを含む方向規制手段によって変位方向が規制される。
【００２６】
クランパ２２とドライブシャーシ２３との相互間は、ターンテーブル３１の回転軸線に垂直な仮想平面内に関してミニディスクが挿入および排出される方向に垂直な幅方向の両側で、コイルばね２９によって引張られる。コイルばね２９が引張る方向は、回転軸線方向から傾斜するようにバイアスされているので、方向規制手段によって常に変位方向が規制される状態となる。幅方向の両側で、変位規制手段によって案内される方向に引張ろうとしても、完全に一致させることはできず、規制される幅内で、変位方向がずれることを繰返し、変位が円滑に行われず、ビビリと呼ばれる現象が発生しやすくなり、再生中に音飛びと呼ばれる現象も生じやすくなる。コイルばね２９で引張る方向にバイアスを加えることによって、方向規制手段による変位の案内がバイアス方向に偏って行われ、案内条件が安定するので、規制される変位も安定に行われ、ビビリなどの発生を抑え、音飛びなどの発生を防ぐことができる。
【００２７】
なお、コイルばね２９は、他の形式のばねや、ゴムなど、弾性力を有する弾性部材であれば同様に使用することができる。また、ミニディスクと同様に、カートリッジ内にディスク状記録媒体が収納されている光磁気ディスク（ＭＯ）など、他のディスクにも本発明を適用することができる。
【００２８】
【発明の効果】
以上のように本発明によれば、ディスククランプ機構では、ミニディスクなどのカートリッジ内に収納されるディスク状記録媒体を安定に回転駆動するために、カートリッジを板状のクランパで、ターンテーブルを備えるシャーシに対して挟み込む。クランパは、ディスクとカートリッジとの対向する面が平行になるように変位方向が規制され、ターンテーブルの回転軸線方向に移動して、ディスクのクランプを行う。クランパとシャーシとの相互間には、弾性部材の弾性力がターンテーブルの回転軸線方向から傾斜するようにバイアスされて作用するので、方向規制手段による変位の案内がバイアス方向に偏って行われ、規制条件が安定し、クランパの移動も安定に行われる。また本発明によれば、ディスク両側の一方側と他方側とで、弾性部材を掛け渡す方向を交差させて、ディスクの挿入方向に対しては弾性力に前後方向のバイアスを与える。これによって、ビビリなどの発生を抑え、音飛びなどの発生を防ぐことができる。
【図面の簡単な説明】
【図１】本発明の実施の一形態であるディスククランプ機構２０の右側面図である。
【図２】図１のディスククランプ機構２０の底面図である。
【図３】図１のディスククランプ機構２０でのコイルばね２９の配置を簡略化して示す右側面図である。
【図４】図１のディスククランプ機構２０でのコイルばね２９の配置を簡略化して示す平面図である。
【図５】図１のディスククランプ機構２０に用いるドライブシャーシ２３の斜視図である。
【図６】図１のディスククランプ機構２０に用いるクランパ２２の斜視図である。
【図７】図１のディスククランプ機構２０を装着するベースシャーシ４０の斜視図である。
【図８】従来のディスククランプ機構の簡略化した平面図である。
【図９】図８のディスククランプ機構の右側面図である。
【図１０】従来のねじりコイルばねを使用するクランプ機構の右側面図である。
【図１１】図１０のディスククランプ機構の底面図である。
【符号の説明】
２０  ディスククランプ機構
２２  クランパ
２３  ドライブシャーシ
２４  横軸
２５  方向規制部
２８，３０  係止部
２９  コイルばね
３１  ターンテーブル
４０  ベースシャーシ
【図１】
0004053258.tif 000002
【図２】
0004053258.tif 000003
【図３】
0004053258.tif 000004
【図４】
0004053258.tif 000005
【図５】
0004053258.tif 000006
【図６】
0004053258.tif 000007
【図７】
0004053258.tif 000008
【図８】
0004053258.tif 000009
【図９】
0004053258.tif 000010
【図１０】
0004053258.tif 000011
【図１１】
0004053258.tif 000012